(57)【要約】  【課題】  再生ヘッドと記録媒体の組み合わせで再生感度と再生出力を向上させる。  【解決手段】  スピンバルブ膜を利用した磁気抵抗効果素子（ＧＭＲ素子）を備えたＧＭＲヘッドとＭｒｔ（残留磁化量Ｍｒと膜厚ｔとの積）が異なる磁気テープを式（１）を満足するように組み合わせて使用する。｜３次高調波成分（ｄＢｍ）|-|1次の高調波成分（ｄＢｍ）|≦４０（ｄＢｍ）…（１）  ただし、1次の高調波成分（ｄＢｍ）と３次高調波成分（ｄＢｍ）は、テープ装置システムの最短波長の３倍波長を記録波長として磁気テープに記録し、ＧＭＲヘッドで再生した出力のスペクトルの1次高調波成分と３次高調波成分。Ａヘッドは３次高調波成分が小さく式（１）を満足しないが、３次高調波成分が大きく式（１）を満足するＢヘッドは小さな磁場で飽和するので、低磁場での再生感度が上がる。また、より高域の記録周波数での再生出力が得られる。  【選択図】  図６
2005122782.tif 000002
【特許請求の範囲】
【請求項１】
金属磁性薄膜が形成されてなる磁気テープ上の記録信号をＧＭＲヘッドで再生する磁気記録再生方式であって、
上記ＧＭＲヘッドと磁気テープを下記の式（１）を満足するように組み合わせてＧＭＲヘッドの磁気特性のリニアリティーを落として低磁場での感度を上げると共に、より高域の記録周波数での再生出力が得られることことを特徴とする磁気記録再生方式。
｜３次高調波成分（ｄＢｍ）|-|1次の高調波成分（ｄＢｍ）|≦４０（ｄＢｍ）…（１）
ただし、上記1次の高調波成分（ｄＢｍ）と３次高調波成分（ｄＢｍ）は、テープ装置システムの最短波長の３倍波長を記録波長として磁気テープに記録し、上記ＧＭＲヘッドで再生した再生出力のスペクトルの1次高調波成分と３次高調波成分。
【請求項２】
上記ＧＭＲヘッドは、回転ドラムに搭載されてヘリカルスキャン方式によりテープ状の磁気記録媒体と摺動しながら磁気信号の検出を行うことを特徴とする請求項１に記載の磁気記録再生装置。
【請求項３】
磁気記録ヘッドおよびＧＭＲヘッドが金属磁性薄膜が形成されてなる磁気テープと摺接しながら磁気テープへ信号を記録／再生する磁気記録再生装置において、
上記ＧＭＲヘッドと磁気テープを下記の式（１）を満足するように組み合わせてＧＭＲヘッドの磁気特性のリニアリティーを落として低磁場での感度を上げると共に、より高域の記録周波数での再生出力が得られることを特徴とする磁気記録再生装置。
｜３次高調波成分（ｄＢｍ）|-|1次の高調波成分（ｄＢｍ）|≦４０（ｄＢｍ）…（１）
ただし、上記1次の高調波成分（ｄＢｍ）と３次高調波成分（ｄＢｍ）は、テープ装置システムの最短波長の３倍波長を記録波長として磁気テープに記録し、上記ＧＭＲヘッドで再生した再生出力のスペクトルの1次高調波成分と３次高調波成分。
【請求項４】
上記ＧＭＲヘッドは、回転ドラムに搭載されてヘリカルスキャン方式によりテープ状の磁気記録媒体と摺動しながら磁気信号の検出を行うことを特徴とする請求項３に記載の磁気記録再生装置。
【発明の詳細な説明】
【技術分野】
【０００１】
本発明は、スピンバルブ膜を用いた磁気抵抗効果型ヘッド（ＧＭＲヘッド）を用いて磁気テープ上に記録された信号を再生する磁気記録再生方式および磁気記録再生装置に関するものである。
【背景技術】
【０００２】
磁気記録媒体から信号磁界を検出する感磁素子として、外部磁界の大きさや向きによって抵抗値が変化する、いわゆる磁気抵抗効果を利用した磁気抵抗効果素子（以下、ＭＲ素子という。）が利用されている。そして、このようなＭＲ素子を備える磁気ヘッドは、一般に磁気抵抗効果型磁気ヘッド（以下、ＭＲヘッドという。）と呼ばれている。
【０００３】
このようなＭＲ素子としては、異方性磁気抵抗効果を利用したものが従来から使用されているが、磁気抵抗変化率（ＭＲ比）が小さいために、より大きなＭＲ比を示すものが望まれており、近年においてはスピンバルブ膜を利用した巨大磁気抵抗効果素子（以下、ＧＭＲ素子という。）が提案されている（例えば、非特許文献１、特許文献１参照。）。
【０００４】
ＧＭＲ素子は、一対の磁性層で非磁性層を挟持してなるスピンバルブ膜を有し、このスピンバルブ膜に対して面内方向に流れる、いわゆるセンス電流のコンダクタンスが一対の磁性層の磁化の相対角度に依存して変化する、いわゆる巨大磁気抵抗効果を利用したものである。
【０００５】
具体的には、図１１に示すように、ＧＭＲ素子のＧＭＲ膜３０は、ＰｔＭｎ等からなる反強磁性層３２と、反強磁性層との間で働く交換結合磁界により所定の方向に磁化が固定されたＣｏＦｅあるいはＣｏＮｉＦｅ等からなる磁化固定層３３と、外部磁界に応じて磁化方向が変化するＣｏＦｅとＮｉＦｅ等からなる磁化自由層３５と、磁化固定層と磁化自由層との間を磁気的に隔離するＣｕあるいはＡｕ等からなる非磁性層３４と、上下のＴａ等からなる保護層３１、３６等で構成されている。
【０００６】
スピンバルブ膜を利用したＧＭＲ素子においては、外部磁界が印加されると外部磁界の大きさや向きに応じて磁化自由層の磁化方向が変化する。そして、磁化自由層の磁化方向が磁化固定層の磁化方向に対して逆方向（反平行）となるとき、このスピンバルブ膜に流れるセンス電流の抵抗値が最大となる。一方、磁化自由層の磁化方向が磁化固定層の磁化方向に対して同一方向（平行）となるとき、このスピンバルブ膜に流れるセンス電流の抵抗値が最小となる。
【０００７】
従って、上述したようなＧＭＲ素子を備える磁気再生ヘッド（以下、ＧＭＲヘッドという。）においては、ＧＭＲ素子に対して一定のセンス電流を供給すると、磁気記録媒体からの信号磁界に応じて、このＧＭＲ素子を流れるセンス電流の電圧値が変化することになり、このセンス電流の電圧値の変化を検出することによって、磁気記録媒体からの磁気信号を読み取ることが可能となる。
【０００８】
下記特許文献１には、ＧＭＲヘッドをハードディスクドライブに利用する例が開示されている。
【０００９】
ハードディスクドライブは、例えばサスペンションの先端部に取り付けられたヘッドスライダにＧＭＲヘッドが搭載された構造を有し、磁気ディスクの回転により生じる空気流を受けて、ヘッドスライダが磁気ディスクの信号記録面上を浮上しながら、このヘッドスライダに搭載されたＧＭＲヘッドが磁気ディスクに記録された磁気信号を読み取ることによって、磁気ディスクに対する再生動作が行われる。
【００１０】
上記ＧＭＲヘッドは、磁気ディスク装置に限らず、近年においてはテープストリーマ等の磁気テープ装置についての利用も検討されている。
【００１１】
例えばヘリカルスキャン方式を採用するテープストリーマは、回転ドラムの外周面部にＧＭＲヘッドが磁気テープの走行方向と略直交する方向に対してアジマス角に応じて斜めとなるように配置された構造を有している。
【００１２】
そして、テープストリーマでは、磁気テープが回転ドラムに対して斜めに走行しながら、回転ドラムが回転駆動し、この回転ドラムに搭載されたＧＭＲヘッドが磁気テープと摺動しながら、磁気テープに記録された磁気信号を読み取ることによって、磁気テープに対する再生動作が行われる。
【非特許文献１】フィジカル・レビュー・ビー（ＰｈｙｓｉｃａｌＲｅｖｉｅｗＢ）、第４３巻、第１号ｐ１２９７〜ｐ１３００「軟磁性多層膜における巨大磁気抵抗効果」（Ｇｉａｎｔ  Ｍａｇｎｅｔｏｒｅｓｉｓｔａｎｃｅ  ｉｎ  Ｓｏｆｔ  Ｆｅｒｒｏｍａｇｎｅｔｉｃ  Ｍｕｌｔｉｌａｙｅｒｓ）
【特許文献１】特開平８−１１１０１０号公報
【発明の開示】
【発明が解決しようとする課題】
【００１３】
ところで、ＨＤＤ（ハードディスクドライブ）では線形性のよい再生出力を設計主因としているため、磁気抵抗効果を用いた再生ヘッドにおいても、再生出力が飽和しない領域を使用する。またＨＤＤが使用している磁気テープからの漏洩磁界は高記録密度化に伴い減少傾向となり、テープ媒体と比較して漏洩磁界は小さいため、再生ヘッドが飽和されにくいが、感度は必要となる。
【００１４】
上記磁気抵抗効果を用いた再生ヘッドは再生出力が飽和しない領域を使用することから、再生ヘッドのダイナミックレンジは高記録密度化に伴い上昇させることで、高域での感度を確保しなければならなく、ヘッドの感度向上のため多大な開発の期間と経費が必要となる。高記録密度化により記録媒体からの漏洩磁界の減少と、飽和させないためのアスペクト比の関係からハイト幅が小さくなり、素子加工がより厳密となる。特にテープ等の記録媒体においては、残留磁化量Ｍｒと膜厚ｔとの積Ｍｒｔを減少させることが困難となってきており、再生ヘッドは飽和しやすくなってきている。
【００１５】
そこで、本発明においては、上記課題に鑑み、低磁場での再生感度が上がると共に高域での再生出力が得られるようにスピンバルブ膜を用いた磁気抵抗効果型ヘッド（ＧＭＲヘッド）と磁気テープを組合わせた磁気記録再生方式および磁気記録再生装置を提供することを目的とする。
【課題を解決するための手段】
【００１６】
本発明は、金属磁性薄膜が形成されてなる磁気テープ上の記録信号をＧＭＲヘッドで再生する磁気記録再生方式、または、磁気記録ヘッドおよびＧＭＲヘッドが金属磁性薄膜が形成されてなる磁気テープと摺接しながら磁気テープへ信号を記録／再生する磁気記録再生装置において、ＧＭＲヘッドと磁気テープを下記の式（１）を満足するように組み合わせてＧＭＲヘッドの磁気特性のリニアリティーを落として高域感度を上げると共に、より高域での再生出力が得られることことを特徴とするものである。
【００１７】
｜３次高調波成分（ｄＢｍ）|-|1次の高調波成分（ｄＢｍ）|≦４０（ｄＢｍ）…（１）
ただし、上記1次の高調波成分（ｄＢｍ）と３次高調波成分（ｄＢｍ）は、テープ装置システムの最短波長の３倍波長を記録波長として磁気テープに記録し、ＧＭＲヘッドで再生した再生出力のスペクトルの1次高調波成分と３次高調波成分。  
【００１８】
磁気テープとの組み合わせで上記式（１）を満足したＧＭＲヘッドは、低磁場で飽和するので低磁場での再生感度が上がると共に、高域の記録周波数での再生出力が大きくなる。  
【００１９】
上記ＧＭＲヘッドは、回転ドラムに搭載されてヘリカルスキャン方式によりテープ状の磁気記録媒体と摺動しながら磁気信号の検出を行うようにするとよい。
【発明の効果】
【００２０】
本発明によれば、（１）低磁場での再生感度が上がると共に、より高域の記録周波数での再生出力電圧を得ることが可能となる。  
（２）ＧＭＲヘッドのダイナミックレンジが小さい場合でも、感度勾配を上げて使用することで、高記録密度化に対応できる。  
（３）再生素子部以外の設計にて高記録密度化に対応できるので、開発費や開発期間を減少となる。
（４）低域の記録周波数のエラーレイトを確保することで、高域の記録周波数でのマージンが向上する。  
（５）ヘッドが飽和する領域まで記録媒体のＭｒｔを上げることで、高記録周波数での出力を上げることが可能となる。特に、テープメディアのような漏洩磁界の強い記録媒体においては、漏洩磁界を弱める必要が無くなり、開発の自由度が広がる。  
（６）再生素子に関して飽和しやすいアスペクト比の使用、および磁化自由層の膜厚を飽和させる範囲でのＭｒｔで制作が可能となり、ヘッド設計の自由度が広がる。  
（７）テープ媒体のように再生ヘッドと媒体が摺動する記録媒体において、耐摩耗性を考慮したヘッドハイト幅の設計が可能となる。
【発明を実施するための最良の形態】
【００２１】
本発明の実施形態に付いて説明する。この例は、磁気テープに記録された信号をスピンバルブ膜を利用した磁気抵抗効果素子（ＧＭＲ素子）を備えた再生ヘッド（ＧＭＲヘッド）で再生する磁気記録再生方式であり、ＧＭＲヘッドと金属磁性薄膜が形成されてなる磁気テープを下記の式（１）を満足するように組み合わせたものである。
【００２２】
｜３次高調波成分（ｄＢｍ）|-|1次の高調波成分（ｄＢｍ）|≦４０（ｄＢｍ）…（１）
上記式（１）の測定は、以下のように行なった。
１）記録波長（３×λｍｉｎ）を磁気テープに記録する（ただし、λｍｉｎ：テープ装置システムの最短波長）。  
２）磁気テープの記録信号をＧＭＲヘッドで再生する。  
３）スペクトルアナライザーにて再生出力のスペクトルの1次の高調波と3次高調波の成分を求める。  
４）この1次の高調波成分と3次高調波成分を上記式（１）にそれぞれ代入する。
【００２３】
上記磁気記録再生方式の詳細を実験例により説明する。  
【００２４】
この実験には再生ヘッドとして、飽和しないＧＭＲヘッド（以下、Ａヘッドという。）と、飽和するＧＭＲヘッド（以下、Ｂヘッドという。）を用いた。  
【００２５】
Ａヘッドは、ヘッドの飽和を回避するため磁化固定層や磁化自由層（図１１
参照。）の材料組成を特定して飽和しない領域を使用するようにした、従来使用されている飽和しないＧＭＲヘッドである。また、Ｂヘッドは、Ａヘッドと同じＧＭＲ膜構成を有するが、ＧＭＲ比が２％と低く、磁化自由層のＡＭＲ効果の影響により低磁場において飽和するＧＭＲヘッドである。  
【００２６】
また、実験でヘッドに組合わせる磁気テープには、残留磁化量Ｍｒと膜厚ｔとの積Ｍｒｔ（以下、単にＭｒｔという。）が、７ｍＡ、１０ｍＡ、１５ｍＡ、１７ｍＡのものを使用した。
【００２７】
図１と図２は、ＡヘッドとＢヘッドのスピンバルブ膜に供給するセンス電流が５ｍＡにおけるトランスファーカーブ特性である。縦軸はヘッドの出力電圧（μＶ）であり、横軸は外部磁界強度（Ｏｅ）である。このＡヘッドとＢヘッドのトランスファーカーブを比較すると、Ｂヘッドは、低磁場（−１００Ｏｅ〜１００Ｏｅ）における変化の傾き、すなわち感度（ΔμＶ／ΔＯｅ）が急峻となり、さらに１００Ｏｅ以上の磁場で出力が飽和する。Ａヘッドは使用領域で飽和しないので、トランスファーカーブは高磁場においてもなだらかに変化し、低磁場における線形性は良い。しかしてＢヘッドは高磁場で飽和するので、低磁場における線形性はＡヘッドと比較して悪い。また、Ａヘッドと比較してＢヘッドのダイナミックレンジは小さい（磁気抵抗変化率やΔＲが小さい）。
【００２８】
図３（ａ）、（ｂ）は、ＡヘッドとＢヘッドの−１０Ｏｅから１０Ｏｅ程度の磁場を印加した低磁場におけるトランスファーカーブ特性である。図３の結果から、飽和するＢヘッドの方がＡヘッドより微小な磁界信号に対する出力電圧が大きくなる。このように低磁場における感度が上がることは、より微小磁場での出力電圧を上昇させることとなる。
【００２９】
図４（ａ）、（ｂ）は、Ｍｒｔ＝１５ｍＡの磁気テープと組合わせたＡヘッドとＢヘッドの低域記録周波数（３Ｔ）の再生出力波形である（ただし、Ｔはテープ装置システムの最短波長（λｍｉｎ））。図４の結果から、Ａヘッドの低域記録周波数の再生出力波形は飽和していないが、Ｂヘッドは低磁場で飽和するため、Ｂヘッドの低域記録周波数の再生出力には飽和が観測された（図４（ｂ））。さらに磁気テープからの漏洩磁界が大きい場合には、Ｂヘッドの再生出力波形は飽和しやすくなる。
【００３０】
図５（ａ）、（ｂ）は、Ｍｒｔ＝１５ｍＡの磁気テープと組合わせたＡヘッドとＢヘッドにおける高域記録周波数（２Ｔ）の再生出力波形である。この高域記録周波数では、Ｂヘッドの再生出力は、Ａヘッドの再生出力より大きくなっている。また、この高域記録周波数では、磁気テープからの漏洩磁界が減少するので、Ｂヘッドの再生出力に飽和は観測されない。
【００３１】
【表１】
2005122782.tif 000003
【００３２】
表1に、ＡヘッドとＢヘッドの低域と高域の再生波形出力値（Ｖｐｐ）およびＳ／Ｎ比（ＳＮＲ）示す。表１の結果から、Ｂヘッドは、低域の記録周波数の再生出力は飽和するが、高域の記録周波数での再生出力は向上している。また再生出力が向上した結果、ＳＮＲも高い値となっている。
【００３３】
図６（ａ）、（ｂ）は、ＡヘッドとＢヘッドにおける記録周波数（３Ｔ）における記録再生出力のスペクトルである。Ａヘッドは、飽和しないため３次高調波成分が小さく1次の高調波成分と３次高調波成分の差は約５０ｄＢｍと大きい。しかしＢヘッドは、飽和しているため３次高調波成分が大きく1次の高調波成分と３次高調波成分の差は約３０ｄＢｍと小さくなっている。そこで、低域記録周波数の再生出力は飽和するが、高域の記録周波数での再生出力は向上する飽和するＢヘッドを検出するため、記録周波数が３Ｔである再生出力スペクトルの1次と３次の高調波成分についてスペクトルアナライザで測定し、その差を求めた。  
【００３４】
｜３次高調波成分（ｄＢｍ）|-|1次の高調波成分（ｄＢｍ）|…（２）
図７に、Ｂヘッドと各Ｍｒｔの磁気テープの大きさに対して、記録周波数（３Ｔ）での再生出力のスペクトルから求められる式（２）の算出を行った結果を示す。図７の結果から、Ｂヘッドは、Ｍｒｔが1０ｍＡ以上の磁気テープを用いると再生出力波形は飽和する。そして、上記式（１）の関係を満足するＧＭＲヘッドと磁気テープの組み合わせにより、低磁場での再生感度が上がると共に、高域の記録周波数での再生出力が向上する。
【実施例】
【００３５】
上記式（１）を満足するＧＭＲヘッドと磁気テープの組み合わせからなる磁気記録再生方式は、磁気記録再生装置などに用いることができる。その一例としてヘリカルスキャン方式を採用したコンピュータのデータ記憶システムに用いた例について説明する。
【００３６】
図８にコンピュータのデータ記憶システムの概略的構成を示す。１は磁気テープ、９は上記飽和するＧＭＲヘッド（再生ヘッド）で、再生ヘッド９と磁気テープ１は、上記式（１）を満足する組み合わせとしてある。
【００３７】
磁気テープ１は、サプライリール２から繰り出され、所定回転数で回転されるドラム３の円筒面に斜めに巻き付けられ、キャプスタン４、およびピンチローラ５により一定速度で走行され、テイクアップリール６により巻き取られている。サプライリール２、およびテイクアップリール６は、カセット内に収納されている。また、磁気テープ１は、１８０°よりやや大なる角度にわたって、ドラム３に巻き付けられている。
【００３８】
ドラム３は、例えば固定の下ドラムと回転する上ドラムからなり、回転ドラムに対して記録ヘッド７、８、および再生ヘッド９が取り付けられている。これらのヘッドの内で隣接トラックを形成する２つの記録ヘッド７、８のそれぞれのギャップ線がトラック長手方向と直交する線に対してなすアジマス角が互いに異なるようなされている。この結果、ガードバンド（無記録領域）を設けない記録が可能とされている。このとき、記録ヘッド７と同一アジマス角を有する再生ヘッド９は、１８０°の角間隔で対向している。また、記録ヘッド７、８が近接して配置され、高さ方向の段差を有してドラム３に設けられている。
【００３９】
記録データは、ホストコンピュータ１１からＳＣＳＩ（Ｓｍａｌｌ  Ｃｏｍｐｕｔｅｒ  Ｓｙｓｔｅｍ  Ｉｎｔｅｒｆａｃｅ）回路１２を介して、バッファ制御回路１４へ供給される。バッファ制御回路１４と関連するバッファメモリ（ＲＡＭ）１５へ供給された記録データが格納される。バッファメモリ１５から読み出されたデータは、パリティ生成回路１６、８−１０変調回路１７、記録アンプ１８により、信号処理がなされ、記録ヘッド７、および８を用いて、磁気テープ１へ記録される。
【００４０】
パリティ生成回路１６では、エラー訂正符号用のパリティが生成される。８−１０変調回路１７では、供給された８ビットのデータが１０ビットへ変換されるもので、記録データの直流分、および低域周波数成分が変調により低減される。１０ビットへ変換された記録データが供給された記録アンプ１８では、磁気テープ１に記録するための信号処理が行われ、記録アンプ１８の出力信号が記録ヘッド７、および８に対して、回転トランス（図示省略）を介して供給される。
【００４１】
これによって、図９に示すように、磁気テープ１上に斜めのトラックとして信号が記録される。この図９中のＡトラックは、例えば記録ヘッド７により磁気テープ１上へ記録され、図１０に示すようにデータ領域とＡＴＦパイロット領域とから構成され、そのデータ領域には、ＳＹＮＣ部、ＩＤ部、データ部を１ブロックとして、データが記録される。Ｂトラックは、例えば記録ヘッド８により記録され、Ａトラックと同様にデータ領域と、ＡＴＦパイロット領域とからなる。このＢトラックのデータ領域には、８−１０変調の１Ｔ、２Ｔ、３Ｔ、４Ｔのいずれかの短波長からなる単一信号が記録される。ここで、Ｔは、チャンネルビットクロックの１周期を表している。１Ｔと対応する波長は、例えば０．４５〔μｍ〕である。このように、Ｂトラックとして、単一信号を記録することによって、無記録領域が存在せず、オーバーライトが可能となる。
【００４２】
再生ヘッド９により磁気テープ１の隣接する２つのトラックの一方のトラックＡから再生されたデータは、回転トランス（図示省略）を介して、再生アンプ２０に供給される。再生アンプ２０の出力信号が８−１０変調回路２１を介して、エラー訂正回路２２へ供給される。８−１０変調回路２１では、供給された再生データのデコードがなされ、デコードのなされた再生データは、エラー訂正回路２２へ供給される。エラー訂正回路２２では、エラー訂正符号の復号を行うことによって、エラーを訂正する。エラー訂正回路２２から出力される信号は、バッファ制御回路１４の制御に基づいて、バッファメモリ１５へ格納される。そして、要求にしたがってＳＣＳＩ回路１２を介して、ホストコンピュータ１１へ再生データが転送される。
【図面の簡単な説明】
【００４３】
【図１】従来使用されている飽和しないＧＭＲヘッド（Ａヘッド）のトランスファーカーブ特性図。
【図２】実験に用いた飽和するＧＭＲヘッド（Ｂヘッド）のトランスファーカーブ特性図。
【図３】（ａ）、（ｂ）はＡヘッドとＢヘッドの低磁場部におけるトランスファーカーブ特性図。
【図４】（ａ）、（ｂ）はＡヘッドとＢヘッドにおける低域記録周波数の再生出力波形図。
【図５】（ａ）、（ｂ）はＡヘッドとＢヘッドにおける高域記録周波数の再生出力波形図。
【図６】（ａ）、（ｂ）はＡヘッドとＢヘッドの３Ｔ記録周波数における記録再生出力のスペクトル図。
【図７】Ｂヘッドの磁気テープの各Ｍｒｔの大きさに対する（２）式の算出結果を示す図表。
【図８】磁気記録再生装置の一例を示すシステム構成図。
【図９】磁気テープのトラックパターンの一例を示す略線図。
【図１０】トラックのデータ構成の一例を示す略線図。
【図１１】ＧＭＲヘッドのＧＭＲ膜の一例を示す構造説明図。
【符号の説明】
【００４４】
１…磁気テープ    ３…ドラム    ４…キャプスタン    ７、８…記録ヘッド    ９…ＧＭＲヘッド（スピンバルブ膜を用いた磁気抵抗効果型ヘッド、再生ヘッド）    １１…ホストコンピュータ    １２…ＳＣＳＩ回路    １３…ＣＰＵ    １４…バッファ制御回路    １５…バッファメモリ    １６…パリティ生成回路    １７、２１…８−１０変調回路    １９…機器制御回路    ２２…エラー訂正回路    ３０…ＧＭＲ膜    ３１，３６…保護層    ３２…反強磁性層    ３３…磁化固定層    ３４…非磁性層（スピンバルブ膜、中間層）    ３５…磁化自由層
【図１】
2005122782.tif 000004
【図２】
2005122782.tif 000005
【図３】
2005122782.tif 000006
【図６】
2005122782.tif 000007
【図７】
2005122782.tif 000008
【図８】
2005122782.tif 000009
【図９】
2005122782.tif 000010
【図１０】
2005122782.tif 000011
【図１１】
2005122782.tif 000012
【図４】
2005122782.tif 000013
【図５】
2005122782.tif 000014